(57)【要約】      （修正有）【課題】乗客に対し強い意外性を演出するとともに、展望性及び意匠性を兼ね備えたエレベータのかご室壁構造を得ること。また、さらには、十分な強度及び剛性を確保しながら構成を簡素化し製作費用を低く抑えることができるエレベータのかご室壁構造を提供する。【解決手段】エレベータのかご室壁構造において、多数の六角形状セルを有するハニカム構造を持つかご壁枠３と、各セルに嵌込された六角形状のガラスパネル４と、を備えた構成とする。【選択図】図１
2008195505.tif 000002
【特許請求の範囲】
【請求項１】
多数の六角形状セルを有するハニカム構造を持つかご壁枠と、前記各セルに嵌込された六角形状のガラスパネルと、を備えたことを特徴とするエレベータのかご室壁構造。
【請求項２】
多数の六角形状セルを有するハニカム構造を持つかご壁枠と、前記各セルに嵌込された六角形状の瞬間調光型液晶ガラスパネルと、を備えたことを特徴とするエレベータのかご室壁構造。
【請求項３】
多数の六角形状セルを有するハニカム構造を持つかご壁枠と、前記各セルの一部に嵌込された六角形状の瞬間調光型液晶ガラスパネルと、前記各セルの残部に嵌込された六角形状のガラスパネルと、を備えたことを特徴とするエレベータのかご室壁構造。
【請求項４】
前記瞬間調光型液晶ガラスパネルにより構成された、各種情報を表示する情報表示部を備えたことを特徴とする請求項２又は請求項３のいずれかに記載のエレベータのかご室壁構造。
【請求項５】
かご運行状況を検出する検出手段と、前記瞬間調光型液晶ガラスパネルにより構成され、前記検出手段により検出されたかご運行状況を表示するインジケータ部と、を備えたことを特徴とする請求項２又は請求項３のいずれかに記載のエレベータのかご室壁構造。
【発明の詳細な説明】
【技術分野】
【０００１】
この発明は、エレベータのかご室壁構造に関するものである。
【背景技術】
【０００２】
従来におけるエレベータのかご室壁構造においては、ゴンドラ内から外部を見せたくない部位や外部からゴンドラ内を見せたくない部位で窓ガラスを瞬間的に不透明化できるように、シースルー型エレベータのゴンドラの窓ガラスに瞬間調光型液晶ガラスを用いるとともに、前記液晶ガラスの透明電極に対する通電を、ゴンドラ通過部位に応じてＯＮ、ＯＦＦするスイッチを介して行う構成としたものが知られている（例えば、特許文献１参照）。
また、特にエレベータかご室の床面や壁面の内装を大理石仕上げとする場合に、軽くて剛性のあるかご室を得るとともに、かごの組立てを工場で行い据付作業の効率化を図るために、プラスチック板或いはアルミニウム板で出来たハニカム構造の板の表面に大理石の薄板を貼付けたものを床材、側板材として使用するものも知られている（例えば、特許文献２参照）。
【０００３】
図６及び図７は、従来におけるエレベータのかご全体を示すもので、図６はエレベータかご全体の正面図、図７はエレベータかご全体の側面図である。
図において７は乗客等を積載し昇降路内を昇降するかご室であり、下部に取付されたかご床８を介して下方から下梁９に支持されており、前記下梁９の長手方向両端部にはガイドレール（図示せず）に係合するように対向してガイドシュー１０及び非常止め装置１１がそれぞれ配設されている。
１３は縦枠で前記かご室７の両側方に立設されており、その下部は前記下梁９に挾持されている。そして、上梁１４が前記縦枠１３の上部を挾持するようにして渡設されており、前記上梁１４の長手方向両端部には前記ガイドレールに係合するように対向してガイドシュー１０がそれぞれ配設されている。
また、補強の目的で、前記かご室７側方の前記縦枠１３上部から前記かご床８下部にかけて筋交い１５が斜設されている。
【０００４】
【特許文献１】特開平８−１７７３４１号公報
【特許文献２】特開平６−１１５８５９号公報
【発明の開示】
【発明が解決しようとする課題】
【０００５】
最近では、エレベータの昇降路壁及びかご室壁の外部に面する一部又は全面をガラス張りとした展望用エレベータが据付される建造物が増えている。これら展望用エレベータに関しては、意匠性の向上や乗客に対する意外性の演出等に対する需要が増大する傾向にある一方で、機器構成が複雑化しコスト高を招きやすいという傾向もあり、これらの点については解決が望まれる課題となりうる。
例えば、特許文献１に示された従来におけるエレベータのかご室壁構造においては、かご室窓の全面に瞬間調光型液晶ガラスを用いる構成であるため、費用が比較的高額になるという課題や、外部を展望できるか又は全く外部を展望できないという２つの状態しか選択できないため、乗客に対する意外性にやや欠ける面があるという課題がある。
また、図６及び図７に示された従来におけるエレベータのかご室壁構造においては、上梁、縦柱及び筋交い等を用いているため、構成部品数が比較的多く製作費用を低く抑えることが難しいという課題がある。
【０００６】
この発明は、前述のような課題を解決するためになされたもので、第１の目的は、乗客に対し強い意外性を演出するとともに、展望性及び意匠性を兼ね備えたエレベータのかご室壁構造を得るものである。
また、第２の目的は、十分な強度及び剛性を確保しながら構成を簡素化し製作費用を低く抑えることができるエレベータのかご室壁構造を得るものである。
【課題を解決するための手段】
【０００７】
この発明に係る、エレベータのかご室壁構造においては、多数の六角形状セルを有するハニカム構造を持つかご壁枠と、前記各セルに嵌込された六角形状のガラスパネルと、を備えた構成とする。
【発明の効果】
【０００８】
この発明はエレベータのかご室壁構造に関し、多数の六角形状セルを有するハニカム構造を持つかご壁枠と、前記各セルに嵌込された六角形状のガラスパネルと、を備えた構成としたことで、乗客に対し強い意外性を演出するとともに、展望性及び意匠性を兼ね備えたエレベータのかご室壁構造を得ることができるという効果を奏する。
また、十分な強度及び剛性を確保しながら構成を簡素化し製作費用を低く抑えることが可能なエレベータのかご室壁構造を得ることができるという効果も合わせ奏する。
【発明を実施するための最良の形態】
【０００９】
実施の形態１．
図１から図５は、この発明の実施の形態１を示すもので、図１はかご壁ガラス部の要部を拡大した斜視図、図２はかご壁ガラス部に階床等を表示した状態を示す説明図、図３は図２とは別の配置方法によりかご壁ガラス部に階床等を表示した状態を示す説明図、図４はエレベータかご全体の正面図、図５はエレベータかご全体の側面図である。
図において１は、エレベータのかご室側面を覆うように立設されたかご壁であり、このかご壁１の上方寄りにはかご壁ガラス部２が設けられている。前記かご壁ガラス部２は、ハニカム構造のかご壁枠３とガラスパネル４とから構成されている。すなわち、前記かご壁枠３は連続して隣接する複数の六角形状孔（セル）を有しており、これらの各セルには前記ガラスパネル４がそれぞれ嵌込されている。
前記ガラスパネル４の一部には、一対の電極及び液晶を備え、これらの電極に通電していない状態では透明で、通電することによりその透明度を変化させることができる機能を有する瞬間調光型液晶ガラスを用いた瞬間調光型液晶ガラスパネル４ａが使用されている。
前記瞬間調光型液晶ガラスパネル４ａは、かごが現在通過又は停止中の階床を示す数字及びかごの進行方向を示す矢印を表示するために必要な位置のセルに配置して嵌込されることにより、インジケータ部５を形成している。そして、かごが現在通過又は停止中の階床及びかごの進行方向を検出する検出手段（図示せず）に連動して現在のかご運行状況に応じた前記瞬間調光型液晶ガラスパネル４ａの電極に通電がなされ、かごが現在通過中又は停止中の階床及びかごの進行方向が前記インジケータ部５に表示されるように構成されている。
なお、前記かご壁１の下方寄りには腰板６が設けられ、不必要な視線は遮られるようになっている。
【００１０】
また、エレベータかご全体としては、かご室７が下部に取付されたかご床８を介して下方から下梁９に支持され、前記下梁９の長手方向両端部にはガイドシュー１０及び非常止め装置１１がそれぞれガイドレール（図示せず）に係合するように対向して配設されるとともに、前記かご室７上端両側部にはガイドシュー１０がそれぞれ前記ガイドレールに係合するように対向して取付板１２を介した上で配設される構成となっている。
【００１１】
以上のように構成されたエレベータのかご室壁構造においては、現在のかご運行状況がかご壁ガラス部に表示されるため、乗客に対し強い意外性を演出するとともに、かご壁ガラス部の透明度は損なうことがないために、展望性及び意匠性を兼ね備えたエレベータのかご室壁構造を得ることができる。
また、ハニカム構造を持つかご壁枠の採用により、上梁、縦柱及び筋交いを用いることなく十分な強度及び剛性を確保することができるため、構成を簡素化し製作費用を低く抑えることが可能である。
さらに、ガラスパネル及び瞬間調光型液晶ガラスパネルはかご壁枠の任意のセルに嵌込取付することが可能であるため、インジケータ部の表示内容及び表示位置の変更を容易に行うことができるという利点や、インジケータ部の表示内容に応じて必要な分だけの瞬間調光型液晶ガラスを用いれば足り、かご室窓の全面に瞬間調光型液晶ガラスを用いる必要がないため、比較的安価に構成することができるという利点も備える。
【００１２】
実施の形態２．
前記実施の形態１においては、前記かご壁ガラス部２の一部分にのみ前記瞬間調光型液晶ガラスパネル４ａを用いて、かご運行状況を表示する前記インジケータ部５を形成する構成としたが、前記かご壁ガラス部２の全面に前記瞬間調光型液晶ガラスパネル４ａを用いて、かご運行状況に限らない各種情報を表示する情報表示部を形成する構成とすることもできる。
【００１３】
以上のように構成されたエレベータのかご室壁構造においては、かご壁ガラス部に様々な情報を表示することが可能であり、前記実施の形態１と比べ更に強い意外性を演出することができる。また、前記実施の形態１同様、展望性及び意匠性を兼ね備えるとともに、十分な強度及び剛性を確保しながら構成を簡素化し製作費用を低く抑えることができるエレベータのかご室壁構造を得ることが可能である。
【図面の簡単な説明】
【００１４】
【図１】この発明の実施の形態１におけるかご壁ガラス部の要部を拡大した斜視図である。
【図２】この発明の実施の形態１におけるかご壁ガラス部に階床等を表示した状態を示す説明図である。
【図３】この発明の実施の形態１における図２とは別の配置方法でかご壁ガラス部に階床等を表示した状態を示す説明図である。
【図４】この発明の実施の形態１におけるエレベータかご全体の正面図である。
【図５】この発明の実施の形態１におけるエレベータかご全体の側面図である。
【図６】従来におけるエレベータかご全体の正面図である。
【図７】従来におけるエレベータかご全体の側面図である。
【符号の説明】
【００１５】
１    かご壁
２    かご壁ガラス部
３    かご壁枠
４    ガラスパネル
４ａ  瞬間調光型液晶ガラスパネル
５    インジケータ部
６    腰板
７    かご室
８    かご床
９    下梁
１０    ガイドシュー
１１    非常止め装置
１２    取付板
１３    縦枠
１４    上梁
１５    筋交い
【図１】
2008195505.tif 000003
【図２】
2008195505.tif 000004
【図３】
2008195505.tif 000005
【図４】
2008195505.tif 000006
【図５】
2008195505.tif 000007
【図６】
2008195505.tif 000008
【図７】
2008195505.tif 000009